(57)【要約】【課題】より容易に且つより確実に視聴制限の設定を行える視聴制御装置を提供する。【解決手段】番組データに付加されたレイティング情報を検出し、検出されたレイティング情報と予め記憶されているレイティング情報との比較に基づいて番組の視聴制限を行うデジタルテレビ１００に、番組データに基づく番組映像が表示部９に表示されている際に、当該番組の視聴を制限するか否かを選択する選択信号を入力するためのリモコンと、リモコンから入力された選択信号に基づいて、記憶手段に記憶されたレイティング情報を更新する更新手段（ＣＰＵ１２，第１レイティング設定プログラム，第２レイティング設定プログラム）と、を備えた。【選択図】図２
2008005425.tif 000002
【特許請求の範囲】
【請求項１】
コンテンツデータに付加された当該コンテンツの視聴制限レベルに関するレイティング情報を検出する検出手段と、視聴制限レベルのレイティング情報を記憶する記憶手段と、前記検出手段により検出されたレイティング情報と前記記憶手段に記憶されたレイティング情報との比較に基づいて前記コンテンツの視聴制限を行う制御手段と、を備える視聴制御装置において、
前記記憶手段に記憶されたレイティング情報を更新する入力信号と、前記コンテンツデータに基づくコンテンツ映像が表示部に表示されている際に、当該コンテンツの視聴を制限するか否かを選択する選択信号とを入力するための選択手段と、
前記選択手段により前記記憶手段に記憶されたレイティング情報を更新する入力信号が入力された場合に、前記記憶手段に記憶されたレイティング情報を前記表示部に表示させる表示制御手段と、
前記選択手段から当該コンテンツの視聴を制限する旨の選択信号が入力された場合、当該コンテンツの視聴制限レベル以上のコンテンツの視聴を制限するように前記記憶手段に記憶されたレイティング情報を更新し、前記選択手段から当該コンテンツの視聴を制限しない旨の選択信号が入力された場合、当該コンテンツの視聴制限レベル以下のコンテンツの視聴ができるように前記記憶手段に記憶されたレイティング情報を更新する更新手段と、
暗証情報を入力するための暗証情報入力手段と、
を備え、
前記更新手段は、
前記制御手段により、前記コンテンツの視聴が制限されていない場合に、前記暗証情報入力手段により入力された暗証情報の照合を行い、前記暗証情報入力手段により入力された暗証情報が予め登録されている暗証情報と一致した場合に、前記選択手段から入力された選択信号に基づいて、前記記憶手段に記憶されたレイティング情報を更新するとともに、前記制御手段により、前記コンテンツの視聴が制限されている場合に、前記暗証情報入力手段により入力された暗証情報の照合を行い、前記暗証情報入力手段により入力された暗証情報が予め登録されている暗証情報と一致した場合には、前記コンテンツの視聴の制限を解除することを特徴とする視聴制御装置。
【請求項２】
コンテンツデータに付加された当該コンテンツの視聴制限レベルに関するレイティング情報を検出する検出手段と、視聴制限レベルのレイティング情報を記憶する記憶手段と、前記検出手段により検出されたレイティング情報と前記記憶手段に記憶されたレイティング情報との比較に基づいて前記コンテンツの視聴制限を行う制御手段と、を備える視聴制御装置において、
前記コンテンツデータに基づくコンテンツ映像が表示部に表示されている際に、当該コンテンツの視聴を制限するか否かを選択する選択信号を入力するための選択手段と、
前記選択手段から入力された選択信号に基づいて、前記記憶手段に記憶されたレイティング情報を更新する更新手段と、
を備えることを特徴とする視聴制御装置。
【請求項３】
前記更新手段は、
前記選択手段から当該コンテンツの視聴を制限する旨の選択信号が入力された場合、当該コンテンツの視聴制限レベル以上のコンテンツの視聴を制限するように前記記憶手段に記憶されたレイティング情報を更新し、
前記選択手段から当該コンテンツの視聴を制限しない旨の選択信号が入力された場合、当該コンテンツの視聴制限レベル以下のコンテンツの視聴ができるように前記記憶手段に記憶されたレイティング情報を更新することを特徴とする請求項２に記載の視聴制御装置。
【請求項４】
暗証情報を入力するための暗証情報入力手段を備え、
前記更新手段は、
前記暗証情報入力手段により入力された暗証情報の照合を行い、前記暗証情報入力手段により入力された暗証情報が予め登録されている暗証情報と一致した場合に、前記選択手段から入力された選択信号に基づいて、前記記憶手段に記憶されたレイティング情報を更新することを特徴とする請求項２又は３に記載の視聴制御装置。
【請求項５】
暗証情報を入力するための暗証情報入力手段を備え、
前記更新手段は、
前記制御手段により、前記コンテンツの視聴が制限されている場合に、前記暗証情報入力手段により入力された暗証情報の照合を行い、前記暗証情報入力手段により入力された暗証情報が予め登録されている暗証情報と一致した場合には、前記コンテンツの視聴の制限を解除することを特徴とする請求項２又は３に記載の視聴制御装置。
【請求項６】
前記選択手段は、前記記憶手段に記憶されたレイティング情報を更新する入力信号を入力し、
前記選択手段により前記記憶手段に記憶されたレイティング情報を更新する入力信号が入力された場合に、前記記憶手段に記憶されたレイティング情報を前記表示部に表示させる表示制御手段を備えることを特徴とする請求項２〜５の何れか一項に記載の視聴制御装置。
【発明の詳細な説明】
【技術分野】
【０００１】
本発明は、視聴制御装置に関する。
【背景技術】
【０００２】
従来、暴力的な表現のある番組や猥褻的な表現のある番組を子供が見ないようにするため、放送局側により当該番組の放送信号に視聴制限レベルの情報（レイティング情報）を付加し、当該レイティング情報に基づいて、番組の視聴を制限するテレビジョン放送受信装置が知られている。例えば、早送り再生やスロー再生においても、視聴制限を行うものも知られている（例えば、特許文献１）。
一方、このような視聴制限を設定すると、大人が放送を視聴する場合には、いちいち視聴制限の設定変更を行わなければならず、不便である。そこで、視聴制限の設定情報を変更することなく、一時的に視聴制限を無効にすることができるものも知られている（例えば、特許文献２）。また、パスワード入力により、視聴制限を無効にすることができるものも知られている（例えば、特許文献３）。
【特許文献１】特開２００１−０１６５６５号公報
【特許文献２】特開２０００−１３４５５４号公報
【特許文献３】特開２００２−１９９３６７号公報
【発明の開示】
【発明が解決しようとする課題】
【０００３】
ところで、各ユーザは、子供の年齢等を目安に、視聴制限レベルを選択することにより、視聴制限の設定を行っているが、視聴制限したい番組がどの視聴制限レベルなのかは分からないため、選択した視聴制限レベルが視聴制限したい番組の視聴制限レベルと異なってしまう場合があり、視聴制限したい番組を確実に視聴制限することができないという問題があった。
【０００４】
本発明の課題は、より容易に且つより確実に視聴制限の設定を行える視聴制御装置を提供することである。
【課題を解決するための手段】
【０００５】
請求項１に記載の発明は、コンテンツデータに付加された当該コンテンツの視聴制限レベルに関するレイティング情報を検出する検出手段と、視聴制限レベルのレイティング情報を記憶する記憶手段と、前記検出手段により検出されたレイティング情報と前記記憶手段に記憶されたレイティング情報との比較に基づいて前記コンテンツの視聴制限を行う制御手段と、を備える視聴制御装置において、
前記記憶手段に記憶されたレイティング情報を更新する入力信号と、前記コンテンツデータに基づくコンテンツ映像が表示部に表示されている際に、当該コンテンツの視聴を制限するか否かを選択する選択信号とを入力するための選択手段と、
前記選択手段により前記記憶手段に記憶されたレイティング情報を更新する入力信号が入力された場合に、前記記憶手段に記憶されたレイティング情報を前記表示部に表示させる表示制御手段と、
前記選択手段から当該コンテンツの視聴を制限する旨の選択信号が入力された場合、当該コンテンツの視聴制限レベル以上のコンテンツの視聴を制限するように前記記憶手段に記憶されたレイティング情報を更新し、前記選択手段から当該コンテンツの視聴を制限しない旨の選択信号が入力された場合、当該コンテンツの視聴制限レベル以下のコンテンツの視聴ができるように前記記憶手段に記憶されたレイティング情報を更新する更新手段と、
暗証情報を入力するための暗証情報入力手段と、
を備え、
前記更新手段は、
前記制御手段により、前記コンテンツの視聴が制限されていない場合に、前記暗証情報入力手段により入力された暗証情報の照合を行い、前記暗証情報入力手段により入力された暗証情報が予め登録されている暗証情報と一致した場合に、前記選択手段から入力された選択信号に基づいて、前記記憶手段に記憶されたレイティング情報を更新するとともに、前記制御手段により、前記コンテンツの視聴が制限されている場合に、前記暗証情報入力手段により入力された暗証情報の照合を行い、前記暗証情報入力手段により入力された暗証情報が予め登録されている暗証情報と一致した場合には、前記コンテンツの視聴の制限を解除することを特徴としている。
【０００６】
請求項２に記載の発明は、コンテンツデータに付加された当該コンテンツの視聴制限レベルに関するレイティング情報を検出する検出手段と、視聴制限レベルのレイティング情報を記憶する記憶手段と、前記検出手段により検出されたレイティング情報と前記記憶手段に記憶されたレイティング情報との比較に基づいて前記コンテンツの視聴制限を行う制御手段と、を備える視聴制御装置において、
前記コンテンツデータに基づくコンテンツ映像が表示部に表示されている際に、当該コンテンツの視聴を制限するか否かを選択する選択信号を入力するための選択手段と、
前記選択手段から入力された選択信号に基づいて、前記記憶手段に記憶されたレイティング情報を更新する更新手段と、
を備えることを特徴としている。
【０００７】
請求項３に記載の発明は、請求項２に記載の視聴制御装置において、
前記更新手段は、
前記選択手段から当該コンテンツの視聴を制限する旨の選択信号が入力された場合、当該コンテンツの視聴制限レベル以上のコンテンツの視聴を制限するように前記記憶手段に記憶されたレイティング情報を更新し、
前記選択手段から当該コンテンツの視聴を制限しない旨の選択信号が入力された場合、当該コンテンツの視聴制限レベル以下のコンテンツの視聴ができるように前記記憶手段に記憶されたレイティング情報を更新することを特徴としている。
【０００８】
請求項４に記載の発明は、請求項２又は３に記載の視聴制御装置において、
暗証情報を入力するための暗証情報入力手段を備え、
前記更新手段は、
前記暗証情報入力手段により入力された暗証情報の照合を行い、前記暗証情報入力手段により入力された暗証情報が予め登録されている暗証情報と一致した場合に、前記選択手段から入力された選択信号に基づいて、前記記憶手段に記憶されたレイティング情報を更新することを特徴としている。
【０００９】
請求項５に記載の発明は、請求項２又は３に記載の視聴制御装置において、
暗証情報を入力するための暗証情報入力手段を備え、
前記更新手段は、
前記制御手段により、前記コンテンツの視聴が制限されている場合に、前記暗証情報入力手段により入力された暗証情報の照合を行い、前記暗証情報入力手段により入力された暗証情報が予め登録されている暗証情報と一致した場合には、前記コンテンツの視聴の制限を解除することを特徴としている。
【００１０】
請求項６に記載の発明は、請求項２〜５の何れか一項に記載の視聴制御装置において、
前記選択手段は、前記記憶手段に記憶されたレイティング情報を更新する入力信号を入力し、
前記選択手段により前記記憶手段に記憶されたレイティング情報を更新する入力信号が入力された場合に、前記記憶手段に記憶されたレイティング情報を前記表示部に表示させる表示制御手段を備えることを特徴としている。
【発明の効果】
【００１１】
請求項１に記載の発明によれば、検出手段により、コンテンツデータに付加された当該コンテンツの視聴制限レベルに関するレイティング情報が検出され、記憶手段により、視聴制限レベルのレイティング情報が記憶され、制御手段により、検出手段によって検出されたレイティング情報と記憶手段に記憶されたレイティング情報とが比較されることに基づいてコンテンツの視聴制限が行われ、選択手段により、コンテンツデータに基づくコンテンツ映像が表示部に表示されている際に、当該コンテンツの視聴を制限するか否かを選択する選択信号が入力され、更新手段により、選択手段から入力された選択信号に基づいて、記憶手段に記憶されたレイティング情報が更新されるので、ユーザは、コンテンツを実際に視聴しながら、当該コンテンツの視聴を制限するか否かを設定できることとなって、視聴制限したいコンテンツの視聴制限レベルを知らなくとも視聴制限したいコンテンツを確実に視聴制限することができ、より容易に且つより確実に視聴制限の設定を行うことができる。
【００１２】
また、更新手段により、選択手段から当該コンテンツの視聴を制限する旨の選択信号が入力された場合、当該コンテンツの視聴制限レベル以上のコンテンツの視聴を制限するように記憶手段に記憶されたレイティング情報が更新され、選択手段から当該コンテンツの視聴を制限しない旨の選択信号が入力された場合、当該コンテンツの視聴制限レベル以下のコンテンツの視聴ができるように記憶手段に記憶されたレイティング情報が更新されるので、一つのコンテンツの視聴制限の設定を行うことにより当該コンテンツと同等のレベル以上の視聴制限レベルであるコンテンツの視聴制限の設定も行われることとなって、より効率的に視聴制限の設定を行うことができる。
【００１３】
また、暗証情報入力手段により、暗証情報が入力され、更新手段により、暗証情報入力手段によって入力された暗証情報の照合が行われ、暗証情報入力手段によって入力された暗証情報が予め登録されている暗証情報と一致した場合に、選択手段から入力された選択信号に基づいて、記憶手段に記憶されたレイティング情報が更新されるので、暗証情報を知っている者のみが視聴制限の設定を行うことができることとなって、例えば、暗証情報を知らない子供がいたずらに視聴制限の設定を行うことを防ぐことができる。
【００１４】
また、暗証情報入力手段により、暗証情報が入力され、更新手段により、制御手段によってコンテンツの視聴が制限されている場合に、暗証情報入力手段によって入力された暗証情報の照合が行われ、暗証情報入力手段によって入力された暗証情報が予め登録されている暗証情報と一致した場合には、コンテンツの視聴の制限が解除されるので、正しい暗証情報が入力されれば視聴が制限されているコンテンツを視聴することができ、視聴が制限されているコンテンツの内容を確かめて、当該コンテンツの視聴の制限を解除するか否かを設定することができる。
【００１５】
また、選択手段により、記憶手段に記憶されたレイティング情報を更新する入力信号が入力され、表示制御手段により、選択手段によって記憶手段に記憶されたレイティング情報を更新する入力信号が入力された場合に、記憶手段に記憶されたレイティング情報が表示部に表示されるので、コンテンツの内容とともに、現在設定されている視聴制限レベルを確認しながら視聴制限レベルの設定を行うことができることとなって、さらに確実に視聴制限の設定を行うことができる。
【００１６】
請求項２に記載の発明によれば、検出手段により、コンテンツデータに付加された当該コンテンツの視聴制限レベルに関するレイティング情報が検出され、記憶手段により、視聴制限レベルのレイティング情報が記憶され、制御手段により、検出手段によって検出されたレイティング情報と記憶手段に記憶されたレイティング情報とが比較されることに基づいてコンテンツの視聴制限が行われ、選択手段により、コンテンツデータに基づくコンテンツ映像が表示部に表示されている際に、当該コンテンツの視聴を制限するか否かを選択する選択信号が入力され、更新手段により、選択手段から入力された選択信号に基づいて、記憶手段に記憶されたレイティング情報が更新されるので、ユーザは、コンテンツを実際に視聴しながら、当該コンテンツの視聴を制限するか否かを設定できることとなって、視聴制限したいコンテンツの視聴制限レベルを知らなくとも視聴制限したいコンテンツを確実に視聴制限することができ、より容易に且つより確実に視聴制限の設定を行うことができる。
【００１７】
請求項３に記載の発明によれば、請求項２に記載の発明と同様の効果が得られるのは勿論のこと、特に、更新手段により、選択手段から当該コンテンツの視聴を制限する旨の選択信号が入力された場合、当該コンテンツの視聴制限レベル以上のコンテンツの視聴を制限するように記憶手段に記憶されたレイティング情報が更新され、選択手段から当該コンテンツの視聴を制限しない旨の選択信号が入力された場合、当該コンテンツの視聴制限レベル以下のコンテンツの視聴ができるように記憶手段に記憶されたレイティング情報が更新されるので、一つのコンテンツの視聴制限の設定を行うことにより当該コンテンツと同等のレベル以上の視聴制限レベルであるコンテンツの視聴制限の設定も行われることとなって、より効率的に視聴制限の設定を行うことができる。
【００１８】
請求項４に記載の発明によれば、請求項２又は３に記載の発明と同様の効果が得られるのは勿論のこと、特に、暗証情報入力手段により、暗証情報が入力され、更新手段により、暗証情報入力手段によって入力された暗証情報の照合が行われ、暗証情報入力手段によって入力された暗証情報が予め登録されている暗証情報と一致した場合に、選択手段から入力された選択信号に基づいて、記憶手段に記憶されたレイティング情報が更新されるので、暗証情報を知っている者のみが視聴制限の設定を行うことができることとなって、例えば、暗証情報を知らない子供がいたずらに視聴制限の設定を行うことを防ぐことができる。
【００１９】
請求項５に記載の発明によれば、請求項２又は３に記載の発明と同様の効果が得られるのは勿論のこと、特に、暗証情報入力手段により、暗証情報が入力され、更新手段により、制御手段によってコンテンツの視聴が制限されている場合に、暗証情報入力手段によって入力された暗証情報の照合が行われ、暗証情報入力手段によって入力された暗証情報が予め登録されている暗証情報と一致した場合には、コンテンツの視聴の制限が解除されるので、正しい暗証情報が入力されれば視聴が制限されているコンテンツを視聴することができ、視聴が制限されているコンテンツの内容を確かめて、当該コンテンツの視聴の制限を解除するか否かを設定することができる。
【００２０】
請求項６に記載の発明によれば、請求項２〜５の何れか一項に記載の発明と同様の効果が得られるのは勿論のこと、特に、選択手段により、記憶手段に記憶されたレイティング情報を更新する入力信号が入力され、表示制御手段により、選択手段によって記憶手段に記憶されたレイティング情報を更新する入力信号が入力された場合に、記憶手段に記憶されたレイティング情報が表示部に表示されるので、コンテンツの内容とともに、現在設定されている視聴制限レベルを確認しながら視聴制限レベルの設定を行うことができることとなって、さらに確実に視聴制限の設定を行うことができる。
【発明を実施するための最良の形態】
【００２１】
以下、図を参照して、本発明に係る映像表示装置を実施するための最良の形態を詳細に説明する。なお、本実施形態では、視聴制御装置として、デジタルテレビを例示して説明するが、本発明の範囲はこれに限定されるものではない。
【００２２】
まず、本発明に係るデジタルテレビ１００の構成について図１，図２を参照しながら説明する。本実施形態に係るデジタルテレビ１００は、例えば、図１，図２に示すように、アンテナ１，チューナ部２，復調部３，デコーダ４，検出部５，音声処理部６，映像処理部７，音出力部８，表示部９，リモコン受信回路１０，リモコンＲ，制御部１１等を備えて構成されている。
【００２３】
アンテナ１は、例えば、パラボラアンテナやＵＨＦアンテナ等であり、地上波デジタル放送，ＢＳ・ＣＳ放送等のテレビジョン放送信号を含む放送波を受信し、地上波デジタル信号，ＢＳ・ＣＳ放送信号等のＲＦ信号をチューナ部２に出力する。なお、ＣＡＴＶ回線を介して放送波を受信する場合には、接続ケーブル（図示省略）等が備えられてもよい。
【００２４】
チューナ部２は、ミキサ（図示省略），選局回路（図示省略），Ａ／Ｄ変換回路（図示省略）等を備えて構成され、ミキサ，選局回路等により、アンテナ１から入力されたＲＦ信号が、ユーザが所望するチャンネルのＩＦ（Intermediate  Frequency）信号に変換され、Ａ／Ｄ変換回路により、生成されたＩＦ信号がデジタルデータに変換される。
【００２５】
復調部３は、例えば、チューナ部２から入力されるデジタルデータに復調処理等を行って、デコーダ４に出力する。
【００２６】
デコーダ４は、例えば、復調部３から入力されるデジタルデータに復号処理等を行って音声信号，映像信号からなる番組データ（コンテンツデータ）と当該番組データに付加されているレイティング情報とを生成し、検出部５に出力する。
ここで、レイティング情報とは、番組（コンテンツ）の視聴制限レベルに関する情報である。より具体的には、レイティング情報としては、例えば、ＭＰＡＡ（Motion  Picture  Association  of  America）によるもの、TV  Parental  Guidelinesによるもの等が知られている。また、テレビ番組の視聴制限レベルとしては、例えば、ＴＶ−Ｙ（All  Children；全ての子供に適切な番組），ＴＶ−Ｙ７（Directed  Older  Children；７歳以上の子供に適切な番組），ＴＶ−Ｇ（General  Audience；一般聴衆向けの番組），ＴＶ−ＰＧ（Parental  Guidance  Suggested；保護者の監督があると良い番組），ＴＶ−１４（Parents  Strongly  Cautioned；保護者の注意が必要な番組），ＴＶ−ＭＡ（Mature  Audience  Only；成人向きの番組）等の年齢によるものと、Ｖ（Violence；暴力的な描写のある番組），Ｆ／Ｖ（Fantasy  Violence；ファンタジーにおける暴力的な描写のある番組）Ｓ（Sexual  Situation；性的なシーンのある番組），Ｌ（Coarse  Language；粗野な言葉のある番組），Ｄ（Suggestive  Dialogue；みだらな対話のある番組）等の番組の内容によるものがある。
【００２７】
検出部５は、ＣＰＵ１２（後述）がレイティング情報検出プログラム１４Ｂ（後述）を実行することにより制御されて、デコーダ４から出力される番組データに付加されているレイティング情報を検出し、検出手段として機能する。
【００２８】
音声処理部６は、例えば、ミュート回路（図示省略）等を備えて構成され、ＣＰＵ１２が制御プログラム１４Ｃ（後述）を実行することにより制御されて、デコーダ４から出力される音声信号に対して、ミュート処理等を行う。
【００２９】
映像処理部７は、例えば、ミュート回路（図示省略）等を備えて構成され、ＣＰＵ１２が制御プログラム１４Ｃを実行することにより制御されて、デコーダ４から出力される映像信号に対して、ミュート処理等を行う。また、映像処理部７は、例えば、ＣＰＵ１２が第１レイティング設定プログラム１４Ｄ又は第２レイティング設定プログラム１４Ｅ（後述）を実行することにより制御されて、表示部９にレイティング情報を表示させるためのＯＳＤ表示データをデコーダ４から出力される映像信号に合成する。
【００３０】
音出力部８は、例えば、スピーカ等を備えて構成され、音声処理部６から出力される音声信号に基づく音声を出力する。
【００３１】
表示部９は、例えば、ＬＣＤ（Liquid  Crystal  Display）やＰＤＰ（Plasma  Display  Panel）等を備えて構成され、映像処理部７から出力される映像信号に基づく映像を表示する。
【００３２】
リモコン受信回路１０は、例えば、リモコンＲから出力された操作信号を制御部１１に出力する。より具体的には、リモコン受信回路１０は、リモコンＲからの赤外線信号を電気信号に変換し、制御部１１に出力する。
【００３３】
リモコンＲは、例えば、各種の操作信号を入力するための各種のキー等を備え、ユーザにより操作されることによって、各種の操作信号をリモコン受信回路１０を介して制御部１１に出力する。
より具体的には、リモコンＲは、例えば、レイティング設定データファイル１４Ａ（後述）に記載されたレイティング情報を更新する入力信号を制御部１１に出力するとともに、リモコンＲは、番組データ（コンテンツデータ）の映像信号に基づく映像（コンテンツ映像）が表示部９に表示されている際に、当該番組（コンテンツ）の視聴を制限するか否かを選択する選択信号を制御部１１に出力し、選択手段として機能する。
また、リモコンＲは、例えば、暗証番号（暗証情報）を制御部１１に出力し、暗証情報入力手段として機能する。
【００３４】
制御部１１は、例えば、図２に示すように、ＣＰＵ（Central  Processing  Unit）１２，ＲＡＭ（Random  Access  Memory）１３，記憶部１４等を備えて構成される。
【００３５】
ＣＰＵ１２は、例えば、記憶部１４に格納された処理プログラム等を読み出して、ＲＡＭ１３に展開して実行することにより、デジタルテレビ１００全体の制御を行う。
【００３６】
ＲＡＭ１３は、ＣＰＵ１２により実行された処理プログラム等を、ＲＡＭ１３内のプログラム格納領域に展開するとともに、入力データや上記処理プログラムが実行される際に生じる処理結果等をデータ格納領域に格納する。
【００３７】
記憶部１４は、例えば、プログラムやデータ等が予め記憶されている記録媒体（図示せず）を有しており、この記録媒体は、例えば、半導体メモリ等で構成されている。また、記憶部１４は、ＣＰＵ１２がデジタルテレビ１００全体を制御する機能を実現させるための各種データ，各種処理プログラム，これらプログラムの実行により処理されたデータ等を記憶する。より具体的には、記憶部１４は、例えば、図２に示すように、レイティング設定データファイル１４Ａ，レイティング情報検出プログラム１４Ｂ，制御プログラム１４Ｃ，第１レイティング設定プログラム１４Ｄ，第２レイティング設定プログラム１４Ｅ等を格納している。
【００３８】
レイティング設定データファイル１４Ａは、例えば、当該デジタルテレビ１００において視聴を制限する視聴制限レベルのレイティング情報を記憶している。記憶部１４は、かかるレイティング設定データファイル１４Ａを格納することにより、記憶手段として機能する。
【００３９】
レイティング情報検出プログラム１４Ｂは、例えば、ＣＰＵ１２に、検出部５を制御して、番組データに付加されたレイティング情報を検出させる機能を実現させるプログラムである。
【００４０】
制御プログラム１４Ｃは、例えば、ＣＰＵ１２に、検出部５により検出されたレイティング情報と、レイティング設定データファイル１４Ａに記憶されているレイティング情報とを比較して、アンテナ１により受信され、チューナ部２により選局された番組の視聴制限を行う機能を実現させるプログラムである。
より具体的には、制御プログラム１４Ｃは、ＣＰＵ１２に、検出部５により検出されたレイティング情報の視聴制限レベルがレイティング設定データファイル１４Ａに記憶されているレイティング情報の視聴制限レベル以上か否かを判断し、検出部５により検出されたレイティング情報の視聴制限レベルがレイティング設定データファイル１４Ａに記憶されているレイティング情報の視聴制限レベル以上であると判断した場合には、音声処理部６及び映像処理部７を制御して、当該番組の音声信号及び映像信号に対してミュート処理等を行わせることにより、当該番組の視聴制限を行い、検出部５により検出されたレイティング情報の視聴制限レベルがレイティング設定データファイル１４Ａに記憶されているレイティング情報の視聴制限レベルより低いと判断した場合には、音声処理部６及び映像処理部７によるミュート処理を行わせずに当該番組データの音声信号及び映像信号を音出力部８及び表示部９に出力させることにより、当該番組の視聴を許可する機能を実現させるプログラムである。
ＣＰＵ１２は、かかる制御プログラム１４Ｃを実行することにより、制御手段として機能する。
【００４１】
第１レイティング設定プログラム１４Ｄは、例えば、ＣＰＵ１２に、制御プログラム１４Ｃを実行することにより番組の視聴を許可する制御を行っている際に、リモコンＲからレイティング設定データファイル１４Ａに記憶されているレイティング情報を更新する入力信号が入力された場合に、リモコンＲから入力された暗証番号の照合を行い、当該暗証番号が予め登録されている暗証番号と一致した場合に、当該レイティング設定データファイル１４Ａに記憶されているレイティング情報を表示部９に表示させ、リモコンＲから入力される選択信号に基づいて、レイティング設定データファイル１４Ａに記憶されているレイティング情報を更新する機能を実現させるプログラムである。ＣＰＵ１２は、かかる第１レイティング設定プログラム１４Ｄを実行することにより、表示制御手段の一部及び更新手段の一部として機能する。
【００４２】
第２レイティング設定プログラム１４Ｅは、例えば、ＣＰＵ１２に、制御プログラム１４Ｃを実行することにより番組の視聴を制限する制御を行っている際に、リモコンＲからレイティング設定データファイル１４Ａに記憶されているレイティング情報を更新する入力信号が入力された場合に、リモコンＲから入力された暗証番号の照合を行い、当該暗証番号が予め登録されている暗証番号と一致した場合に、当該番組の視聴を許可する制御を行い、当該レイティング設定データファイル１４Ａに記憶されているレイティング情報を表示部９に表示させ、リモコンＲから入力される選択信号に基づいて、レイティング設定データファイル１４Ａに記憶されているレイティング情報を更新する機能を実現させるプログラムである。ＣＰＵ１２は、かかる第２レイティング設定プログラム１４Ｅを実行することにより、表示制御手段の一部及び更新手段の一部として機能する。
【００４３】
ＣＰＵ１２が第１レイティング設定プログラム１４Ｄ又は第２レイティング設定プログラム１４Ｅを実行することにより表示部９に表示される画面の一例を図３（ａ），（ｂ）に示す。図３（ａ），（ｂ）に示すように、表示部９には、番組データの映像信号に基づく映像が表示され、当該映像上にＯＳＤ表示により「ＴＶ−ＭＡ」，「ＴＶ−１４」，「ＴＶ−ＰＧ」，「ＴＶ−Ｇ」，「ＴＶ−Ｙ７」，「ＴＶ−Ｙ」，「Ｖ」，「Ｆ／Ｖ」，「Ｓ」，「Ｌ」，「Ｄ」等のレイティング情報が表示されている。また、表示部９には、ＯＳＤ表示により「現在の番組を許可」，「現在の番組を制限」，「ＯＫ」等が表示されている。また、表示部９には、現在視聴している番組の視聴制限レベルを示す矢印が表示されている。
【００４４】
また、図３（ａ）には、変更前のレイティング設定データファイル１４Ａのレイティング情報が表示されており、当該デジタルテレビ１００において制限されている視聴制限レベルである「ＴＶ−ＭＡ」以上の視聴制限レベルの表示（「ＴＶ−ＭＡ」及び当該視聴制限レベルにおける「Ｖ」，「Ｓ」，「Ｌ」）が白抜き文字により表示されている。また、図３（ａ）では、現在視聴している番組の視聴レベルを示す矢印が「ＴＶ−１４」の位置に表示されている。従って、図３（ａ）において、現在の番組の視聴は制限されていない状態にある。
そして、図３（ａ）において、リモコンＲにより、「現在の番組を制限」が選択されると、表示部９に表示される画面では、図３（ｂ）に示すように、当該現在の番組の視聴制限レベル以上の視聴制限レベルの表示（「ＴＶ−ＭＡ」の「Ｖ」，「Ｓ」，「Ｌ」，及び「ＴＶ−１４」の「Ｓ」，「Ｄ」）が白抜き文字により表示されるように変化する。そして、図３（ｂ）において、リモコンＲにより「ＯＫ」が選択されると、当該現在の番組の視聴制限レベルである「ＴＶ−１４」の「Ｓ」，「Ｄ」以上の視聴制限レベルがレイティング設定データファイル１４Ａのレイティング情報として記憶されるようになっている。
【００４５】
次に、上述のような構成のデジタルテレビ１００の映像信号の視聴制限動作について図４に示すフローチャートを参照しながら説明する。
まず、放送信号がアンテナ１により受信され、当該放送信号からチューナ部２によりユーザが所望するチャンネルのデジタルデータが生成され、復調部３により当該デジタルデータが復調処理され、復調処理されたデジタルデータからデコーダ４により音声信号，映像信号からなる番組データと当該番組データに付加されたレイティング情報とが生成される（ステップＳ１）。
【００４６】
次に、ＣＰＵ１２は、レイティング情報検出プログラム１４Ｂを実行することにより、検出部５を制御して、番組データに付加されたレイティング情報を検出する（ステップＳ２）。
【００４７】
次に、ＣＰＵ１２は、制御プログラム１４Ｃを実行することにより、検出部５により検出されたレイティング情報の視聴制限レベルがレイティング設定データファイル１４Ａに記憶されているレイティング情報の視聴制限レベル以上か否かを判断する（ステップＳ３）。
【００４８】
ステップＳ３において、ＣＰＵ１２が、検出部５により検出されたレイティング情報の視聴制限レベルがレイティング設定データファイル１４Ａに記憶されているレイティング情報の視聴制限レベル以上であると判断した場合には（ステップＳ３；Ｙｅｓ）、ＣＰＵ１２は、音声処理部６及び映像処理部７を制御して、当該番組の音声信号及び映像信号に対してミュート処理等を行わせることにより、当該番組の視聴制限を行う（ステップＳ４）。
【００４９】
ステップＳ３において、ＣＰＵ１２が、検出部５により検出されたレイティング情報の視聴制限レベルがレイティング設定データファイル１４Ａに記憶されているレイティング情報の視聴制限レベルより低いと判断した場合には（ステップＳ３；Ｎｏ）、ＣＰＵ１２は、本処理を終了する。即ち、音声処理部６及び映像処理部７によるミュート処理を行わせずに当該番組データの音声信号及び映像信号を音出力部８及び表示部９に出力させることにより、当該番組の視聴を許可する。
【００５０】
次に、本実施形態に係るデジタルテレビ１００の視聴制限がされていない場合の視聴制限設定動作について図５に示すフローチャートを参照しながら説明する。
まず、アンテナ１により受信された放送信号から選局された番組の視聴が制限されていない場合に、リモコンＲからレイティング設定データファイル１４Ａに記憶されているレイティング情報を更新する入力信号が入力されると（ステップＳ１０１）、ＣＰＵ１２は、第１レイティング設定プログラム１４Ｄを実行することにより、例えば、表示部９に、「暗証番号を入力してください」とＯＳＤ表示により表示させ、リモコンＲから入力された暗証番号の照合を行う（ステップＳ１０２）。
【００５１】
ステップＳ１０２において、ＣＰＵ１２が、リモコンＲから入力された暗証番号が予め登録されている暗証番号と一致しないと判断した場合には（ステップＳ１０２；Ｎｏ）、本処理を終了する。
【００５２】
ステップＳ１０２において、ＣＰＵ１２が、リモコンＲから入力された暗証番号が予め登録されている暗証番号と一致すると判断した場合には（ステップＳ１０２；Ｙｅｓ）、ＣＰＵ１２は、例えば、図３に示すように、レイティング設定データファイル１４Ａに記憶されているレイティング情報，「現在の番組を許可」，「現在の番組を制限」，「ＯＫ」等をＯＳＤ表示により表示部９に表示させる（ステップＳ１０３）。
【００５３】
次に、ＣＰＵ１２は、リモコンＲにより、「現在の番組を制限」及び「ＯＫ」が選択されたか否かを判断することにより、表示部９に表示している番組の視聴を制限するか否かを判断する（ステップＳ１０４）。
【００５４】
ステップＳ１０４において、ＣＰＵ１２が、リモコンＲにより「現在の番組を許可」及び「ＯＫ」が選択されたと判断し、表示部９に表示している番組の視聴を許可すると判断した場合には（ステップＳ１０４；Ｎｏ）、本処理を終了する。
【００５５】
ステップＳ１０４において、ＣＰＵ１２が、リモコンＲにより「現在の番組を制限」及び「ＯＫ」が選択されたと判断し、表示部９に表示している番組の視聴を制限すると判断した場合には（ステップＳ１０４；Ｙｅｓ）、ＣＰＵ１２は、表示部９に表示している番組のレイティング情報の視聴制限レベル以上の番組の視聴を制限するように、レイティング設定データファイル１４Ａに記憶されているレイティング情報を更新する（ステップＳ１０５）。
【００５６】
次に、本実施形態に係るデジタルテレビ１００の視聴制限がされている場合の視聴制限設定動作について図６に示すフローチャートを参照しながら説明する。
まず、アンテナ１により受信された放送信号から選局された番組の視聴が制限されている場合に、リモコンＲからレイティング設定データファイル１４Ａに記憶されているレイティング情報を更新する入力信号が入力されると（ステップＳ２０１）、ＣＰＵ１２は、第１レイティング設定プログラム１４Ｄを実行することにより、例えば、表示部９に、「暗証番号を入力してください」とＯＳＤ表示により表示させ、リモコンＲから入力された暗証番号の照合を行う（ステップＳ２０２）。
【００５７】
ステップＳ２０２において、ＣＰＵ１２が、リモコンＲから入力された暗証番号が予め登録されている暗証番号と一致しないと判断した場合には（ステップＳ２０２；Ｎｏ）、本処理を終了する。
【００５８】
ステップＳ２０２において、ＣＰＵ１２が、リモコンＲから入力された暗証番号が予め登録されている暗証番号と一致すると判断した場合には（ステップＳ２０２；Ｙｅｓ）、ＣＰＵ１２は、アンテナ１により受信されチューナ部２により選局されている番組の視聴を許可するとともに、レイティング設定データファイル１４Ａに記憶されているレイティング情報，「現在の番組を許可」，「現在の番組を制限」，「ＯＫ」等をＯＳＤ表示により表示部９に表示させる（ステップＳ２０３）。
【００５９】
次に、ＣＰＵ１２は、リモコンＲにより、「現在の番組を制限」及び「ＯＫ」が選択されたか否かを判断することにより、表示部９に表示している番組の視聴を制限するか否かを判断する（ステップＳ２０４）。
【００６０】
ステップＳ２０４において、ＣＰＵ１２が、リモコンＲにより「現在の番組を制限」及び「ＯＫ」が選択されたと判断し、表示部９に表示している番組の視聴を制限すると判断した場合には（ステップＳ２０４；Ｙｅｓ）、本処理を終了する。
【００６１】
ステップＳ２０４において、ＣＰＵ１２が、リモコンＲにより「現在の番組を許可」及び「ＯＫ」が選択されたと判断し、表示部９に表示している番組の視聴を許可すると判断した場合には（ステップＳ２０４；Ｎｏ）、ＣＰＵ１２は、表示部９に表示している番組のレイティング情報の視聴制限レベル以下の番組の視聴を許可するように、レイティング設定データファイル１４Ａに記憶されているレイティング情報を更新する（ステップＳ２０５）。
【００６２】
以上に説明した本発明に係るデジタルテレビ１００によれば、ＣＰＵ１２がレイティング情報検出プログラム１４Ｂを実行することにより、検出部５が制御されて、番組データに付加された当該番組の視聴制限レベルに関するレイティング情報が検出され、レイティング設定データファイル１４Ａにより、視聴制限レベルのレイティング情報が記憶され、ＣＰＵ１２が制御プログラム１４Ｃを実行することにより、検出部５によって検出されたレイティング情報とレイティング設定データファイル１４Ａに記憶されたレイティング情報との比較に基づいて番組の視聴制限が行われ、リモコンＲにより、番組データに基づく番組映像が表示部９に表示されている際に、当該番組の視聴を制限するか否かを選択する選択信号が入力され、ＣＰＵ１２が第１レイティング設定プログラム１４Ｄ又は第２レイティング設定プログラム１４Ｅを実行することにより、リモコンＲから入力された選択信号に基づいて、レイティング設定データファイル１４Ａに記憶されたレイティング情報が更新されるので、ユーザは、番組を実際に視聴しながら、当該番組の視聴を制限するか否かを設定できることとなって、視聴制限したい番組の視聴制限レベルを知らなくとも視聴制限したい番組を確実に視聴制限することができ、より容易に且つより確実に視聴制限の設定を行うことができる。
【００６３】
また、ＣＰＵ１２が第１レイティング設定プログラム１４Ｄ又は第２レイティング設定プログラム１４Ｅを実行することにより、リモコンＲから当該番組の視聴を制限する旨の選択信号が入力された場合、当該番組の視聴制限レベル以上の番組の視聴を制限するようにレイティング設定データファイル１４Ａに記憶されたレイティング情報が更新され、リモコンＲから当該番組の視聴を制限しない旨の選択信号が入力された場合、当該番組の視聴制限レベル以下の番組の視聴ができるようにレイティング設定データファイル１４Ａに記憶されたレイティング情報が更新されるので、一つの番組の視聴制限の設定を行うことにより当該番組と同等のレベル以上の視聴制限レベルである番組の視聴制限の設定も行われることとなって、より効率的に視聴制限の設定を行うことができる。
【００６４】
また、リモコンＲにより、暗証番号が入力され、ＣＰＵ１２が第１レイティング設定プログラム１４Ｄ又は第２レイティング設定プログラム１４Ｅを実行することにより、リモコンＲによって入力された暗証番号の照合が行われ、リモコンＲによって入力された暗証番号が予め登録されている暗証番号と一致した場合に、リモコンＲから入力された選択信号に基づいて、レイティング設定データファイル１４Ａに記憶されたレイティング情報が更新されるので、暗証番号を知っている者のみが視聴制限の設定を行うことができることとなって、例えば、暗証番号を知らない子供がいたずらに視聴制限の設定を行うことを防ぐことができる。
【００６５】
また、リモコンＲにより、暗証番号が入力され、ＣＰＵ１２が第１レイティング設定プログラム１４Ｄを実行することにより、制御プログラム１４Ｃを実行することによって番組の視聴が制限されている場合に、リモコンＲによって入力された暗証番号の照合が行われ、リモコンＲによって入力された暗証番号が予め登録されている暗証番号と一致した場合には、番組の視聴の制限が解除されるので、正しい暗証番号が入力されれば視聴が制限されている番組を視聴することができ、視聴が制限されている番組の内容を確かめて、当該番組の視聴の制限を解除するか否かを設定することができる。
【００６６】
また、リモコンＲにより、レイティング設定データファイル１４Ａに記憶されたレイティング情報を更新する入力信号が入力され、ＣＰＵ１２が第１レイティング設定プログラム１４Ｄ又は第２レイティング設定プログラム１４Ｅにより、リモコンＲによってレイティング設定データファイル１４Ａに記憶されたレイティング情報を更新する入力信号が入力された場合に、レイティング設定データファイル１４Ａに記憶されたレイティング情報が表示部９に表示されるので、番組の内容とともに、現在設定されている視聴制限レベルを確認しながら視聴制限レベルの設定を行うことができることとなって、さらに確実に視聴制限の設定を行うことができる。
【００６７】
なお、本発明の視聴制御装置として、デジタルテレビを例示して説明したが、映像信号に基づく映像の視聴を制限するものであれば何であってもよく、例えば、セットトップボックス等の放送受信装置でもよいし、ＤＶＤ再生装置等であってもよい。
また、本実施形態では、テレビ番組の視聴制限レベルのレイティング情報を例に挙げて説明したが、本発明は他のレイティング情報に対しても適用可能であることは勿論である。
また、本実施形態では、現在視聴している番組の視聴制限レベルを矢印により表示することとしたが、これに限られるものではなく、例えば、現在視聴している番組の視聴制限レベルが色付き文字などにより表示されてもよい。
【図面の簡単な説明】
【００６８】
【図１】本発明の第１の実施形態に係るデジタルテレビの概略構成を示す図である。
【図２】本発明の第１の実施形態に係るデジタルテレビの構成を示すブロック図である。
【図３】本発明に係る表示部に表示されるレイティング情報の一例を説明する図である。
【図４】本発明に係るデジタルテレビの視聴制限動作の一例を説明するフローチャートである。
【図５】本発明に係るデジタルテレビの視聴制限がされていない場合における視聴制限設定動作の一例を説明するフローチャートである。
【図６】本発明に係るデジタルテレビの視聴制限がされている場合における視聴制限設定動作の一例を説明するフローチャートである。
【符号の説明】
【００６９】
５  検出部（検出手段）
９  表示部
１２  ＣＰＵ（検出手段，制御手段，表示制御手段,更新手段）
１４  記憶部（記憶手段）
１４Ａ  レイティング設定データファイル（記憶手段）
１４Ｂ  レイティング情報検出プログラム（検出手段）
１４Ｃ  制御プログラム（制御手段）
１４Ｄ  第１レイティング設定プログラム（表示制御手段，更新手段）
１４Ｅ  第２レイティング設定プログラム（表示制御手段，更新手段）
１００  デジタルテレビ（視聴制御装置）
Ｒ  リモコン（選択手段，暗証情報入力手段）
【図１】
2008005425.tif 000003
【図２】
2008005425.tif 000004
【図３】
2008005425.tif 000005
【図４】
2008005425.tif 000006
【図５】
2008005425.tif 000007
【図６】
2008005425.tif 000008